(57)【要約】【課題】電動工具への取付部品を効率的に持ち運ぶことができる部品収容ケースを提供する。【解決手段】バッテリを保持可能なバッテリ保持部を有する電動工具への取付部品を収容可能な部品収容ケース２０Ａ１（２０Ａ２）であって、バッテリ保持部に保持可能である。さらに部品収容ケースは、バッテリ保持部に係合可能な一対のレール２２Ｂ１，２２Ｂ２を有する。加えて部品収容ケースは、電動工具を収容するための電動工具収容ケースに設けられたバッテリの収容部に収容可能である。【選択図】図３
2014012301.tif 000002
【特許請求の範囲】
【請求項１】
バッテリを保持可能なバッテリ保持部を有する電動工具への取付部品を収容可能な部品収容ケースであって、
前記バッテリ保持部に保持可能であることを特徴とする部品収容ケース。
【請求項２】
前記バッテリ保持部に係合可能な一対のレールを有することを特徴とする請求項１に記載の部品収容ケース。
【請求項３】
前記バッテリ保持部に被係合部を形成すると共に、前記部品収容ケースに前記被係合部に係脱可能な係合部を形成したことを特徴とする請求項１又は２に記載の部品収容ケース。
【請求項４】
前記係合部を前記被係合部から離脱させる操作が可能な操作部を有することを特徴とする請求項３に記載の部品収容ケース。
【請求項５】
前記電動工具を収容するための電動工具収容ケースに設けられた前記バッテリの収容部に収容可能であることを特徴とする請求項１ないし４のいずれかに記載の部品収容ケース。
【請求項６】
バッテリを保持可能なバッテリ保持部を有する電動工具と、前記バッテリ保持部に保持可能で、前記電動工具への取付部品を収容可能な部品収容ケースと、を備え、前記部品収容ケースの外見を前記バッテリの外見と異ならせたことを特徴とする組み合わせ。
【請求項７】
モータと、前記モータが収容されるハウジングと、前記ハウジングに設けられて、バッテリを保持可能なバッテリ保持部と、を有する電動工具であって、
前記バッテリ保持部に保持可能で、前記電動工具への取付部品を収容可能な部品収容ケースを備えることを特徴とする電動工具。
【請求項８】
モータと、前記モータが収容されるハウジングと、前記ハウジングに設けられて、バッテリを保持可能なバッテリ保持部と、を有する電動工具と、
前記バッテリ保持部に保持可能で、前記電動工具への取付部品を収容可能な部品収容ケースと、
を備えることを特徴とする電動工具販売用セット。
【請求項９】
前記部品収容ケースを、前記バッテリ保持部に保持させたことを特徴とする請求項８に記載の電動工具販売用セット。
【発明の詳細な説明】
【技術分野】
【０００１】
この発明は、ハウジングにバッテリを保持可能な電動工具への取付部品を収容する部品収容ケースに関する。
【背景技術】
【０００２】
例えば特許文献１には、バッテリを保持させた電動工具や予備のバッテリを収容可能な電動工具収容ケースが開示されている。特許文献１の電動工具収容ケースでは、バッテリを保持させた電動工具の収容部を形成すると共に、これとは別に、予備のバッテリの収容部が形成されている。また、この電動工具収容ケースには、電動工具や予備のバッテリの他にも、電動工具に取り付ける先端工具を始めとする電動工具への取付部品（アクセサリ）を、ケースや袋に入れて電動工具収容ケースの空きスペースに収容することがなされている。
【先行技術文献】
【特許文献】
【０００３】
【特許文献１】特開２００４−１７４６５５号公報
【発明の概要】
【発明が解決しようとする課題】
【０００４】
しかしながら上記のような電動工具収容ケースでは、前記取付部品を収容するための空きスペースが確保できない場合もある。このような場合には、例えばユーザは前記取付部品を手で持ち歩かなければならないという不都合があった。また、すべてのユーザが電動工具収容ケースを所有しているわけではないことから、この場合にも電動工具収容ケースに空きスペースが確保されていない場合と同様に、ユーザは前記取付部品を手で持ち歩かなければならないという不都合があった。
【０００５】
この発明は、このような状況に鑑み提案されたものであって、電動工具への取付部品を効率的に持ち運ぶことができる部品収容ケースを提供することを目的とする。
【課題を解決するための手段】
【０００６】
請求項１の発明に係る部品収容ケースは、バッテリを保持可能なバッテリ保持部を有する電動工具への取付部品を収容可能な部品収容ケースであって、前記バッテリ保持部に保持可能であることを特徴とする。
【０００７】
請求項２の発明は、請求項１において、前記バッテリ保持部に係合可能な一対のレールを有することを特徴とする。
【０００８】
請求項３の発明は、請求項１又は２において、前記バッテリ保持部に被係合部を形成すると共に、前記部品収容ケースに前記被係合部に係脱可能な係合部を形成したことを特徴とする。
【０００９】
請求項４の発明は、請求項３において、前記係合部を前記被係合部から離脱させる操作が可能な操作部を有することを特徴とする。
【００１０】
請求項５の発明は、請求項１ないし４のいずれかにおいて、前記電動工具を収容するための電動工具収容ケースに設けられた前記バッテリの収容部に収容可能であることを特徴とする。
【００１１】
請求項６の発明に係る組み合わせは、バッテリを保持可能なバッテリ保持部を有する電動工具と、前記バッテリ保持部に保持可能で、前記電動工具への取付部品を収容可能な部品収容ケースと、を備え、前記部品収容ケースの外見を前記バッテリの外見と異ならせたことを特徴とする。
【００１２】
請求項７の発明に係る電動工具は、モータと、前記モータが収容されるハウジングと、前記ハウジングに設けられて、バッテリを保持可能なバッテリ保持部と、を有する電動工具であって、前記バッテリ保持部に保持可能で、前記電動工具への取付部品を収容可能な部品収容ケースを備えることを特徴とする。
【００１３】
請求項８の発明に係る電動工具販売用セットは、モータと、前記モータが収容されるハウジングと、前記ハウジングに設けられて、バッテリを保持可能なバッテリ保持部と、を有する電動工具と、前記バッテリ保持部に保持可能で、前記電動工具への取付部品を収容可能な部品収容ケースと、を備えることを特徴とする。
【００１４】
請求項９の発明は、請求項８において、前記部品収容ケースを、前記バッテリ保持部に保持させたことを特徴とする。
【発明の効果】
【００１５】
請求項１の発明に係る部品収容ケース及び請求項７の発明に係る電動工具によれば、電動工具のバッテリ保持部を利用して、部品収容ケースを持ち運ぶことができる。よって、部品収容ケースを効率的に持ち運ぶことが可能になる。
請求項２の発明によれば、部品収容ケースを、一対のレールを用いることでバッテリ保持部に簡単かつ安定して保持することが可能になる。
請求項３の発明によれば、部品収容ケースの係合部を、バッテリ保持部の被係合部に係合させることで、部品収容ケースをバッテリ保持部に固定することが可能になる。一方、前記係合部と前記被係合部との係合を解除することで、バッテリ保持部に対する部品収容ケースの固定状態を解除できる。よって、部品収容ケースをバッテリ保持部から取り外すことが可能になる。
請求項４の発明によれば、操作部を用いることで、係合部を被係合部から離脱させる操作を簡単に行うことができる。
請求項５の発明によれば、電動工具収容ケースにおけるバッテリの収容部を利用して、部品収容ケースを持ち運ぶことができる。よって、部品収容ケースを効率的に持ち運ぶことが可能になる。
請求項６の発明に係る組み合わせによれば、部品収容ケースをバッテリと取り違えることを防止でき、部品収容ケース又はバッテリのいずれかを自由に選択してバッテリ保持部に保持させることが可能になる。
請求項８の発明に係る電動工具販売用セットによれば、部品収容ケースに収容された取付部品と共に電動工具を販売することが可能になる。
請求項９の発明によれば、部品収容ケースをバッテリ保持部に保持させた形体で、取付部品と共に電動工具を販売することが可能になる。
【図面の簡単な説明】
【００１６】
【図１】本発明の実施形態１の部品収容ケースを収容した電動工具収容ケースの内部構造を示す図である。
【図２】実施形態１の部品収容ケースの斜視図である。
【図３】同部品収容ケースにビットを収容した状態を示す図である。
【図４】ビットを収容した同部品収容ケースの側断面図である。
【図５】部品収容ケース本体の上面を開口させた同部品収容ケースの側断面図である。
【図６】実施形態２の部品収容ケースの斜視図である。
【図７】同部品収容ケースを構成する前側ケースと後側ケースとの分解斜視図である。
【図８】ビットを収容した同部品収容ケースの側断面図である。
【図９】実施形態３の部品収容ケースの斜視図である。
【発明を実施するための形態】
【００１７】
＜実施形態１＞
本発明の実施形態１を図１ないし図５を参照しつつ説明する。図１には、ドライバドリル１等の電動工具を収容可能な電動工具収容ケース２（以下「収容ケース２」という。）を示した。ドライバドリル１は、ハウジング６のモータハウジング６Ａ内部に電動モータ６Ａ１を収容している。ハウジング６の一部はグリップ６Ｂを形成している。モータハウジング６Ａの前方には、後述のビット２３（先端工具）を保持するための先端工具保持部６Ａ２が設けられており、電動モータ６Ａ１の回転により、先端工具保持部６Ａ２が回転駆動されるようになっている。グリップ６Ｂの下部にはバッテリ保持部６Ｂ１が設けられている。バッテリー保持部６Ｂ１には、バッテリ７が保持可能となっている。バッテリ７については、バッテリハウジングが黒色の樹脂で形成されており、バッテリハウジングの内部にバッテリセルを収容している。このバッテリー保持部６Ｂ１には、一対のレール６Ｂ１１，６Ｂ１１が設けられている。
【００１８】
収容ケース２は、合成樹脂で形成されて深底で四角形状の収容ケース本体３と、この収容ケース本体３と同じ合成樹脂製の四角形状で浅底の収容蓋体４とを備えている。収容ケース２は、収容ケース本体３と収容蓋体４とを回転可能に支持するシャフト３Ｂを有する。収容ケース本体３には、シャフト３Ｂが挿通される孔部（図示せず。）が設けられている。また、収容蓋体４には、前記シャフト３Ｂが挿通される孔部（図示せず。）が設けられている。収容ケース本体３には、収容ケース本体３と収容蓋体４とを互いに回動不能に固定するために、ラッチ３Ｂ１及びラッチ３Ｂ２が設けられている。ラッチ３Ｂ１及びラッチ３Ｂ２は、収容ケース本体３の左右の中ほどに配置されている。ラッチ３Ｂ１及びラッチ３Ｂ２の間には、収容ケース２を持ち運ぶためのハンドル３Ｃが設けられている。ハンドル３Ｃは、左右の端部３Ｃ１，３Ｃ２で収容ケース本体３と連結されている。また、ハンドル３Ｃは、収容ケース本体３に対して回動可能になっている。収容蓋体４の内面には、リブ４Ｂが設けられている。リブ４Ｂは、後述の充電器１０の上面と接触可能になっている。このため、リブ４Ｂによって収容ケース２の内部で、充電器１０がガタガタしないようになっている。
【００１９】
収容ケース本体３の内面には、リブ３Ｄ１及びリブ３Ｄ２が設けられている。リブ３Ｄ１は、先端工具保持部６Ａ２と接触可能に設けられている。また、リブ３Ｄ２は、グリップ６Ｂと接触可能に設けられている。本実施形態では、収容ケース本体３の内周壁とリブ３Ｄ１，３Ｄ２とによって、バッテリ保持部６Ｂ１にバッテリ７を保持させたドライバドリル１の収容部８が形成されている。ドライバドリル１は、収容ケース本体３の内周壁とリブ３Ｄ１，３Ｄ２とにより、収容ケース本体３内で保持されている。また、収容ケース本体３の内面には、リブ３Ｅ１，３Ｅ２，３Ｅ３が設けられている。本実施形態では、リブ３Ｅ１，３Ｅ２，３Ｅ３及び収容ケース本体３の内周壁により、予備のバッテリ７の収容部９が形成されている。図１では、リブ３Ｅ１，３Ｅ２，３Ｅ３は、バッテリ７に代えて後述の部品収容ケース２０Ａ１と接触可能に設けられている。さらに、収容ケース本体３の内面には、リブ３Ｆ１及びリブ３Ｆ２が設けられている。本実施形態では、収容ケース本体３の内周壁とリブ３Ｆ１，３Ｆ２とによって、予備のバッテリ７の収容部９が形成されている。図１では、リブ３Ｆ１及びリブ３Ｆ２は、バッテリ７に代えて後述の部品収容ケース２０Ａ２と接触可能に設けられている。部品収容ケース２０Ａ２は、収容ケース本体３の内周壁とリブ３Ｆ１，３Ｆ２とにより、収容ケース本体３内で保持されている。ここで、前記リブ３Ｅ３と前記リブ３Ｆ１とが、充電器１０と接触可能に設けられている。本実施形態では、収容ケース本体３の内周壁とリブ３Ｅ３，３Ｆ１とによって、充電器１０の収容部１１が形成されている。充電器１０は、収容ケース本体３の内周壁とリブ３Ｅ３，３Ｆ１とにより、収容ケース本体３内で保持されている。本実施形態では、以下に説明する部品収容ケース２０Ａ１，２０Ａ２を収容部９，９にそれぞれ収容可能としている。
【００２０】
図２及び図３に示すように部品収容ケース２０Ａ１（２０Ａ２）は、透明な合成樹脂で形成された中空箱状とされている。ここでは部品収容ケース２０Ａ１（２０Ａ２）を、バッテリ７とは異なり透明にしたことで、部品収容ケース２０Ａ１（２０Ａ２）の外見をバッテリ７の外見と異ならせた。両部品収容ケース２０Ａ１，２０Ａ２は同一の構造を有するため、以下では部品収容ケース２０Ａ１について説明し部品収容ケース２０Ａ２の説明を省略する。部品収容ケース２０Ａ１の外形は、ドライバドリル１のバッテリー保持部６Ｂ１（図１参照。）に保持されるバッテリ７の外形と同じである。バッテリ７の外形と部品収容ケース２０Ａ１の外形とが同じとは、バッテリ７の高さ、幅、奥行が、部品収容ケース２０Ａ１の高さ、幅、奥行とほぼ同じことをいう。ここでほぼ同じとは、互いの高さ、幅、奥行が２０パーセントの誤差の範囲内に入っているものをいう。製品としては、例えば互いの高さ、幅、奥行が１０パーセントの誤差の範囲内に入っていれば、より好適である。なお、電動工具収容ケース２に部品収容ケース２０Ａ１を収容することを考慮すると、バッテリ７よりも部品収容ケース２０Ａ１が小さいとより好ましい。
【００２１】
そして部品収容ケース２０Ａ１は、上面を開口させた有底の箱状とされた透明な合成樹脂製の部品収容ケース本体２１と、この部品収容ケース本体２１の後面上端部に接続部を介して上下方向へ回転可能に支持された透明な合成樹脂製の部品収容蓋体２２とを備えている。前記接続部は、部品収容蓋体２２から下方に突出する突出部２１Ｆ（図４及び図５参照。）と、部品収容ケース本体２１に設けられて、突出部２１Ｆが係合する凹み部２２Ｄ（同図参照。）とで構成されている。部品収容ケース本体２１は、立面２１Ａ，２１Ｂ，２１Ｃ，２１Ｄ及び底面２１Ｅを有する。部品収容蓋体２２は、傾斜部２２Ａ（図２及び図３参照。）と、一対のレール２２Ｂ１、２２Ｂ２とを有する。傾斜部２２Ａには、凹部２２Ａ１が設けられており、この凹部２２Ａ１には、合成樹脂製の押圧操作片２９が配置されている。部品収容ケース２０Ａ１をグリップ６（図１参照。）の前方側から後方側へスライドさせると、一対のレール２２Ｂ１，２２Ｂ２は、バッテリ保持部６Ｂ１に設けられた一対のレール６Ｂ１１，６Ｂ１１（図１参照。）と係合するように構成されている。押圧操作片２９には、凹み部２９Ａと、この凹み部２９Ａの下方に設けられる面部２９Ｂ（図３ないし図５参照。）と、面部２９Ｂよりも下方に設けられる連設部２９Ｃ（図３ないし図５参照。）とが設けられている。連設部２９Ｃには、外方へ延びる横長形状の係止爪部３０が設けられている。押圧操作片２９の上端部２９Ｄ（図２及び図３参照。）は、部品収容蓋体２２に対して回動可能に接続されている。部品収容ケース本体２１には、面部２９Ｂの下方で面部２９Ｂと対向するように面部２１Ｇ（図３ないし図５参照。）が設けられている。面部２１Ｇと面部２９Ｂとの間には上下方向で隙間Ｓ（図４参照。）が設けられており、凹み部２９Ａを押圧した際に、面部２９Ｂは回動することが可能になっている。この隙間Ｓの内側には、前記連設部２９Ｃが配置されており、粉塵等がこの隙間Ｓを通じて部品収容ケース２０Ａ１の内部に入り込むことを少なくしている。
【００２２】
部品収容ケース本体２１の内面には、段差部２１Ｈ（図４及び図５参照。）が設けられている。この段差部２１Ｈは、立面２１の内面の一部が外面側に切り欠かれることで前記内面に設けられている。また図３に示すように部品収容ケース本体２１の内部には、トライバドリル１に交換可能に取り付ける先端工具（ここではビット２３）を複数保持できるスポンジ製の保持部材２４が配設されている。保持部材２４の前端（図４の右側）の上面２４Ａが弾性変形した状態で段差部２１Ｈに係合するようになっており、保持部材２４が部品収容ケース本体２１から外れることを少なくしている。保持部材２４には、該保持部材２４の上面に開口する有底孔２５が複数形成されている。図３に示すようにビット２３は、各有底孔２５に差し込まれることで保持部材２４に縦向きで保持可能とされている。また図２ないし図５に示すように部品収容ケース本体２１の前面（立面２１Ａ）には、部品収容蓋体２２の係止爪部３０（図４参照。）が係止可能な横長形状の係止溝２６が形成されている。この係止溝２６は、部品収容ケース本体２１の内部と外部とを貫通するような穴によって形成されている。図４に示すように、部品収容蓋体２２の係止爪部３０を部品収容ケース本体２１の係止溝２６に係止させると、部品収容蓋体２２を部品収容ケース本体２１に固定できる。その結果、部品収容ケース本体２１の上面開口２１Ｊ（図５参照。）は部品収容蓋体２２によって閉塞されるため、部品収容ケース２０Ａ１に収容されたビット２３が部品収容ケース２０Ａ１の外部に飛び出すことを防止できる。加えて、部品収容ケース２０Ａ１は透明であることから、部品収容ケース本体２１の上面開口２１Ｊが閉塞されていても、部品収容ケース２０Ａ１に収容されたビット２３を、部品収容ケース２０Ａ１の外側から透視できる。部品収容蓋体２２の上面裏側には、凹み部２２Ｃ１，２２Ｃ２（図３ないし図５参照。）が設けられており、ビット２３の長さが長いものであっても、当該ビット２３を凹み部２２Ｃ１，２２Ｃ２を利用して部品収容ケース２０Ａ１の内部に収容できる。このため、長さが異なるビット２３を部品収容ケース２０Ａの内部に収容できるようになっている。また、ビット２３を有底孔２５に縦向きで挿入できるようになっているので、短いビット２３を数多く収容することができる。なお、ビット２３は本発明の電動工具への取付部品の一例である。
【００２３】
一方、凹み部２９Ａを部品収容蓋体２２の後側へ押圧して係止爪部３０を係止溝２６から前記後側へ退避させると、係止爪部３０と係止溝２６との係止状態が解除される。その後図５に示すように部品収容蓋体２２を上方向（図５の上側）へ回転させることで部品収容ケース本体２１の上面開口２１Ｊを開放できるため、保持部材２４に保持されたビット２３を前記上面開口２１Ｊから取り出すことができる。図５に示すように保持部材２４に保持されたビット２３の先端は、部品収容ケース本体２１の上端よりも上方へ突出した状態になる。このため、作業者は、ビット２３を部品収容ケース本体２１から容易に取り出せる。上記したように、傾斜部２２Ａに凹み部２９Ａが設けられているので、底面２１Ｅを地面等に接触させた状態で、凹み部２９Ａを押圧操作できる。よって、押圧操作片２９の操作性が良い。
【００２４】
上記のように構成した部品収容ケース２０Ａ１は、図１に示したように収容ケース２の各収容部９に収容した状態で持ち運ぶことができる。特に本実施形態のように部品収容ケース２０Ａ１の外形をバッテリ７の外形と同じにしたことで、部品収容ケース２０Ａ１を、予備のバッテリ７を収容していない収容部９に収容するだけで収容ケース２と共に持ち運ぶことができる。これに加えて収容ケース２を販売するときは、部品収容ケース２０Ａ１も前記収容部９に収容して販売できる。加えて、当該部品収容ケース２０Ａ１にビット２３を収容した上でドライバドリル１の本機も収容ケース２に収容しておけば、ビット２３（アクセサリ）と共にドライバドリル１の本機を販売することもできる。
【００２５】
また、部品収容ケース２０Ａ１の外形がバッテリ７の外形と同じであることから、バッテリ７を取り外したドライバドリル１のバッテリ保持部６Ｂ１に、部品収容ケース２０Ａ１を保持できる。したがって、ユーザが収容ケース２を所有していない場合でも、部品収容ケース２０Ａ１をハウジング６に装着して持ち運ぶことができるという利点がある。その他にも、ユーザが既にバッテリ７を所有しているためにドライバドリル１の本機だけを購入しバッテリ７を購入する必要がない場合には、バッテリ保持部６Ｂ１に部品収容ケース２０Ａ１を保持させることで、複数のビット２３（アクセサリ）と共にドライバドリル１の本機を販売することも可能になる。さらには、部品収容ケース２０Ａ１の外見をバッテリ７の外見と異ならせたことで、部品収容ケース２０Ａ１とバッテリ７とを取り違えることを防止できる。よってユーザは、部品収容ケース２０Ａ１又はバッテリ７のいずれかを自由に選択してバッテリ保持部６Ｂ１に保持させることが可能になる。
【００２６】
＜実施形態１の効果＞
本実施形態では、ドライバドリル１のバッテリ保持部６Ｂ１を利用して、部品収容ケース２０Ａ１を持ち運ぶことができる。よって、部品収容ケース２０Ａ１を効率的に持ち運ぶことが可能になる。
【００２７】
また、部品収容ケース２０Ａ１が有する一対のレール２２Ｂ１，２２Ｂ２を、バッテリ保持部６Ｂ１に設けられた一対のレール６Ｂ１１，６Ｂ１１と係合させることで、部品収容ケース２０Ａ１をバッテリ保持部６Ｂ１に安定して保持することが可能になる。
【００２８】
さらに、収容ケース２における予備のバッテリ７の収容部９を利用して、部品収容ケース２０Ａ１を持ち運ぶことができる。よって、部品収容ケース２０Ａ１を効率的に持ち運ぶことが可能になる。
【００２９】
加えて、部品収容ケース２０Ａ１の外見をバッテリ７の外見と異ならせたことで、部品収容ケース２０Ａ１とバッテリ７とを取り違えることを防止できる。よってユーザは、部品収容ケース２０Ａ１又はバッテリ７のいずれかを自由に選択してバッテリ保持部６Ｂ１に保持させることが可能になる。
【００３０】
さらに加えて、ドライバドリル１と、ビット２３を収容した部品収容ケース２０Ａ１とで電動工具用販売セットを構成することで、前記ビット２３と共にドライバドリル１を販売することが可能になる。
【００３１】
また、バッテリ保持部６Ｂ１に、ビット２３を収容した部品収容ケース２０Ａ１を保持させたドリルドライバ１で電動工具販売セットを構成すると、部品収容ケース２０Ａ１をバッテリ保持部６Ｂ１に保持させた形体で、ビット２３と共にドリルドライバ１の本機を販売することが可能になる。
【００３２】
＜実施形態２＞
本発明の実施形態２を図６ないし図８を参照しつつ説明する。ここでは実施形態１と同一の構成は同一の符号を付しその説明を省略する。図６及び図７に示すように部品収容ケース２０Ａ３は、実施形態１と同様に透明な合成樹脂製で、前後方向に分割可能とされている。部品収容ケース２０Ａ３の外形もバッテリ７の外形と同じにした。この部品収容ケース２０Ａ３は、前面を開口させた中空箱状の後側ケース３４と、後側ケース３４との対向面を開口させた中空箱状の前側ケース３５とを備えている。後側ケース３４は、立面３４Ａ，３４Ｂ，３４Ｃ、底面３４Ｄ及び上面３４Ｅを有する。加えて後側ケース３４は、一対のレール２２Ｂ１，２２Ｂ２を有する。図７に示すように後側ケース３４の内部には、前面に開口する有底孔２５を複数形成したスポンジ製の保持部材２４Ａが配設されている。図７及び図８に示すようにビット２３は、各有底孔２５に差し込まれることで保持部材２４Ａに横向きで保持可能とされている。さらに図７に示すように後側ケース３４の左右の両側面には、後側ケース３４の前面に連続する半円状の切り欠き部３６がそれぞれ形成されている。加えて後側ケース３４の左右の内側面には、後側ケース３４の前後方向で切り欠き部３６よりも後方側に係合孔３７がそれぞれ形成されている。
【００３３】
一方図６及び図７に示すように前側ケース３５の左右の両側面には、後側ケース３４側へ半円状に延設されて各切り欠き部３６に嵌る延設部３９がそれぞれ設けられている。各延設部３９には、外側面に開口する半円状の凹部３９Ａが設けられている。これに加えて図７に示すように各延設部３９の延設端部には、延設端部の内側面と連続して板状の突出片４０が後側ケース３４側へ突設されている。さらに各突出片４０の外側面には、前記係合孔３７に係合可能な位置決め用突起４１が、各突出片４０の外側へ向けて突設されている。
【００３４】
上記のように構成された前側ケース３５を後側ケース３４に近づけることで、各延設部３９を各切り欠き部３６に嵌めると共に、各位置決め用突起４１を各係合孔３７に係合させる。その結果、前側ケース３５は後側ケース３４に抜け止めされる。よって、後側ケース３４の前面開口３４Ｇ（図７参照。）を前側ケース３５で閉塞できるため、部品収容ケース２０Ａ３内のビット２３が部品収容ケース２０Ａ３の外部に飛び出すことを防止できる。加えて後側ケース３４の前面開口３４Ｇが閉塞されていても、実施形態１と同様に、部品収容ケース２０Ａ３に収容されたビット２３を、部品収容ケース２０Ａ３の外側から透視できる。
【００３５】
また両凹部３９Ａを前側ケース３５の内側へ押圧することで、両延設部３９を前側ケース３５の内側へ弾性変形させて、各位置決め用突起４１と各係合孔３７との係合を解除しつつ前側ケース３５を後側ケース３４から遠ざけると、前側ケース３５を後側ケース３４から分離できる。その結果図７に示すように後側ケース３４の前面開口３４Ｇを開放できるため、保持部材２４Ａに保持されたビット２３を前記前面開口３４Ｇから取り出すことができる。
【００３６】
そして本実施形態の部品収容ケース２０Ａ３は、実施形態１と同様に、収容ケース２の各収容部９（図１参照。）に収容して持ち運ぶことができたり収容ケース２と共に販売できる。加えて実施形態１と同様に部品収容ケース２０Ａ３は、ドライバドリル１のバッテリ保持部６Ｂ１に保持して持ち運ぶことができたり、ビット２３を収容した部品収容ケース２０Ａ３を、ドライバドリル１の本機と共に販売できる。
【００３７】
＜実施形態２の効果＞
本実施形態では、実施形態１と同様に収容ケース２の予備のバッテリ７の収容部９，９を利用して、部品収容ケース２０Ａ３を効率的に持ち運ぶことが可能になる。また実施形態１と同様に部品収容ケース２０Ａ３を、収容ケース２の収容部９，９に簡単かつ安定して収容可能となる。さらに実施形態１と同様に部品収容ケース２０Ａ３を、ドライバドリル１のバッテリ保持部６Ｂ１に安定して保持できる。
【００３８】
＜実施形態３＞
本発明の実施形態３を図９を参照しつつ説明する。ここでは実施形態２と同一の構成は同一の符号を付しその説明を省略する。前側ケース３５は、前側ケース３５の後方で該前側ケース３５から上方へ係合突起５０を突出させる操作部材５１を収容している。この操作部材５１は、常態ではコイルばね５２によって上方へ付勢されている。このコイルばね５２は、操作部材５１の下方で前側ケース３５の内面から該操作部材５１と平行に前側ケース３５の内側へ突設した保持台５３と、操作部材５１との間に配置されている。加えて操作部材５１の前面には、段状に切り欠いた操作部５４が形成されている。ここでは、操作部５４を下方へ押圧すると、操作部材５１がコイルばね５２の付勢力に抗して下方へ移動可能となる。これに伴って、操作部材５１が有する係合突起５０も下方へ移動可能となる。一方、ドライバドリル１のバッテリ保持部６Ｂ１には、部品収容ケース２０Ｂを保持したときに前記係合突起５０が係合する係合凹部５５（図１参照。）が形成されている。
【００３９】
上記のように構成された部品収容ケース２０Ｂは、一対のレール２２Ｂ１，２２Ｂ２をバッテリ保持部６Ｂ１に設けられた一対のレール６Ｂ１１，６Ｂ１１にあてがってスライドさせると、操作部材５１がコイルばね５２を圧縮しつつ、係合突起５０は係合凹部５５に係合する。このようにして部品収容ケース２０Ｂを、ドライバドリル１のバッテリ保持部６Ｂ１にしっかりと固定できる。なお、係合突起５０は本発明の係合部の一例であり、係合凹部５５は本発明の被係合部の一例である。
【００４０】
また、部品収容ケース２０Ｂをバッテリ保持部６Ｂ１から取り外す際には、操作部５４を下方へ押圧することにより、コイルばね５２の付勢力に抗して操作部材５１を下方へ移動させて、係合突起５０を係合凹部５５から離脱させるようにする。これにより、係合突起５０と係合凹部５５との係合を解除できるため、部品収容ケース２０Ｂはバッテリ保持部６Ｂ１に対してスライドできるようになる。このようにして部品収容ケース２０Ｂを、バッテリ保持部６Ｂ１から取り外すことができる。
【００４１】
＜実施形態３の効果＞
本実施形態では、部品収容ケース２０Ｂの係合突起５０を、バッテリ保持部６Ｂ１の係合凹部５５に係合させることで、部品収容ケース２０Ｂをバッテリ保持部６Ｂ１に固定することが可能になる。一方、前記係合突起５０と前記係合凹部５５との係合を解除することで、バッテリ保持部６Ｂ１に対する部品収容ケース２０Ｂの固定状態を解除できる。
【００４２】
また、操作部材５１の操作部５４を下方へ押圧するだけで、係合突起５０を係合凹部５５から離脱させる操作を簡単に行うことができる。
【００４３】
本発明は、上述した実施形態に限定されるものではなく、発明の趣旨を逸脱しない範囲内において構成の一部を適宜変更して実施できる。例えば部品収容ケース２０Ａ１，２０Ａ２，２０Ａ３，２０Ｂは、透明な合成樹脂で形成することに限らず、例えば透明なプラスチックで形成してもよい。また、上述した実施形態ではビット２３を部品収容ケース２０Ａ１，２０Ａ２，２０Ａ３，２０Ｂに収容した例を示したが、これに限らず、例えばビット２３以外にも先端工具が挿入されるソケット、釘、ネジ、ボルト、ナット等のようなアクセサリを部品収容ケース２０Ａ１，２０Ａ２，２０Ａ３，２０Ｂに収容してもよい。
【００４４】
さらに上述した実施形態では部品収容ケース２０Ａ１，２０Ａ２を、収容ケース２に形成されたすべての収容部９に収容した例を示したが、これに限らず例えば、一方の収容部９には部品収容ケース２０Ａ１を収容し、他方の収容部９には予備のバッテリ７を収容してもよい。加えて上述した実施形態では部品収容ケース２０Ａ１，２０Ａ２，２０Ａ３，２０Ｂをドライバドリル１のバッテリ保持部６Ｂ１に保持可能な例を示したが、これに限らず例えば、部品収容ケース２０Ａ１，２０Ａ２，２０Ａ３，２０Ｂをインパクトドライバ等の電動工具のバッテリ保持部に保持可能としてもよい。また、押圧操作片２９は、押圧操作片２９自体が弾性変形により回動する構造としたが、剛体とこの剛体を付勢する弾性体とによって回動する構造としてもよい。さらに係止爪部３０は、回動によって係止溝２６から退避させる構造としたが、スライドすることにより係止溝２６から退避させる構造としてもよい。
【符号の説明】
【００４５】
１・・ドライバドリル、２・・電動工具収容ケース、６・・ハウジング、６Ａ１・・電動モータ、６Ｂ１・・バッテリ保持部、７・・バッテリ、９・・予備のバッテリの収容部、２０Ａ１，２０Ａ２，２０Ａ３，２０Ｂ・・部品収容ケース、２２Ｂ１，２２Ｂ２・・部品収容ケースのレール、２３・・ビット、５０・・係合突起、５４・・操作部、５５・・係合凹部。
【図１】
2014012301.tif 000003
【図２】
2014012301.tif 000004
【図３】
2014012301.tif 000005
【図４】
2014012301.tif 000006
【図５】
2014012301.tif 000007
【図６】
2014012301.tif 000008
【図７】
2014012301.tif 000009
【図８】
2014012301.tif 000010
【図９】
2014012301.tif 000011